(57)【要約】      （修正有）【課題】手足の指間に兼用で装着できると共に、手足の指に刺激を与えて運動機能の向上や血行促進等を図ることができる指刺激健康器具を提供する。【解決手段】指刺激健康器具１ａは、手足いずれかの指間で挟持して手や足の指を刺激する弾性伸縮部材で形成され、一方の端部側３から他方の端部側４にかけて幅狭に形成した略偏平状の偏平基部２と、偏平基部の一方の端部側に複数の棒状体６を略並列して突設した指間装着部５と、指間装着部の各棒状体の先端部に連設し棒状体の外径よりも大きい外径を有する略球状の抜け止め部７と、を備える。【選択図】図１
0003197086.tif 000002
【実用新案登録請求の範囲】
【請求項１】
手足いずれかの指間で挟持して手や足の指を刺激する弾性伸縮部材で形成された指刺激健康器具であって、
一方の端部側から他方の端部側にかけて幅狭に形成した略偏平状の偏平基部と、
前記偏平基部の一方の端部側に複数の棒状体を略並列して突設した指間装着部と、
前記指間装着部の各前記棒状体の先端部に連設し前記棒状体の外径よりも大きい外径を有する略球状の抜け止め部と、
を備えたことを特徴とする指刺激健康器具。
【請求項２】
前記偏平基部は、略偏平状の一側面側に凸部を膨出して形成したことを特徴とする請求項１に記載の指刺激健康器具。
【請求項３】
前記偏平基部の前記他方の端部側に弾性伸縮部材で形成され紐状とした伸縮連結部の一端を連設し、
前記伸縮連結部の他端には、伸縮連結部の外径よりも大きな外径で片手で把持可能な大きさに形成した略球状の把持部を連設したことを特徴とする請求項１または２に記載の指刺激健康器具。
【請求項４】
前記偏平基部の前記他方の端部側を対向配置し、
弾性伸縮部材で形成され紐状とした伸縮連結部の両端を介して前記偏平基部の前記他方の端部側を互いに連設してなることを特徴とする請求項１または２に記載の指刺激健康器具。
【請求項５】
前記偏平基部の前記他方の端部側に弾性伸縮部材で形成され紐状とした伸縮連結部の一端を連設し、
前記伸縮連結部の他端は、可撓性を有する円環状の球体載置部において前記球体載置部の直径方向で互いに対峙する位置にそれぞれ連設したことを特徴とする請求項１または２に記載の指刺激健康器具。
【請求項６】
前記棒状体は前記偏平基部の一側面側の前記偏平基部の前記一方の端部側の縁端部近傍に立設すると共に、
前記偏平基部の他側面側には前記偏平基部の前記一方の端部側から前記偏平基部に沿って前方に延出した板状の爪先保護部を形成し、
前記偏平基部の一側面側には、前記偏平基部の一側面側に足を載置した際に甲側を被覆して略固定する足挿通固定部を形成し、
前記偏平基部の一側面側から前記爪先保護部の上面までの前記偏平基部の厚みを、前記偏平基部の一側面側の前記一方の端部側の角部に沿って足指を下方に屈曲させた際に足指の先端が前記爪先保護部の上面に当接しないように形成したことを特徴とする請求項１または２に記載の指刺激健康器具。
【考案の詳細な説明】
【技術分野】
【０００１】
この考案は、手足の指に刺激を与えて運動機能の向上や血行促進等を促す指刺激健康器具に関する。
【背景技術】
【０００２】
従来、手足の指に様々な刺激を与えることで血行促進や脳の機能改善、筋力向上等を図るためのトレーニング器具や健康器具が多数知られている。例えば、手指に関しては、重量のあるダンベルの把持部に手指を所定間隔開いて把持可能とする複数の指挿入孔が穿設されたトレーニング器具が開示されている（特許文献１参照）。
【０００３】
また、足指に関しては、例えば、踵を載せる当板の前方に、複数の紐を介して所定間隔で垂設した複数の突起部の下端部と連結した前部を有すると共に、当板の後方に、複数の紐を介して椅子等の柱と連結可能なバンドを連結した後部を有する足の運動器具が開示されている（特許文献２参照）。
【先行技術文献】
【特許文献】
【０００４】
【特許文献１】特開２００８−５５１３８号公報
【特許文献２】実用新案登録第３０９１７１９号公報
【考案の概要】
【考案が解決しようとする課題】
【０００５】
しかしながら、特許文献１に係るトレーニング器具では、トレーニングのために該器具を一旦把持すれば手指を動かすことはなく、せっかく広げた手指の関節が略固定された状態となるため、手指や腕の筋力向上には一定の効果が期待できるものの、手指を動かすことによる血行促進や柔軟性等の向上には充分な効果が期待できなかった。
【０００６】
また、特許文献２に係る足の運動器具は、動かす方向との兼ね合いで、足指の根元部分や足首、及び太股の強化には適しているが、足指自体の強化や柔軟性等の向上には充分な効果が期待できず、しかも、椅子等の柱に紐を固定しなければならないため、使い勝手の面でも煩雑であった。
【０００７】
また、上述した器具は、各々で単独の用途でしか機能しないため、それぞれを別途に準備しなければならなかった。
【０００８】
本考案は、以上のような事情に鑑みてなされたものであり、手足の指間に兼用で装着できると共に、手足の指に刺激を与えて運動機能の向上や血行促進等を図ることができる指刺激健康器具を提供することにある。
【課題を解決するための手段】
【０００９】
以上のような目的を達成するために、本考案は以下のようなものを提供する。
【００１０】
請求項１に係る考案では、手足いずれかの指間で挟持して手や足の指を刺激する弾性伸縮部材で形成された指刺激健康器具であって、一方の端部側から他方の端部側にかけて幅狭に形成した略偏平状の偏平基部と、前記偏平基部の一方の端部側に複数の棒状体を略並列して突設した指間装着部と、前記指間装着部の各前記棒状体の先端部に連設し前記棒状体の外径よりも大きい外径を有する略球状の抜け止め部と、を備えたことを特徴とする指刺激健康器具。
【００１１】
請求項２に係る考案では、前記偏平基部は、略偏平状の一側面側に凸部を膨出して形成したことを特徴とする請求項１に記載の指刺激健康器具。
【００１２】
請求項３に係る考案では、前記偏平基部の前記他方の端部側に弾性伸縮部材で形成され紐状とした伸縮連結部の一端を連設し、前記伸縮連結部の他端には、伸縮連結部の外径よりも大きな外径で片手で把持可能な大きさに形成した略球状の把持部を連設したことを特徴とする請求項１または２に記載の指刺激健康器具。
【００１３】
請求項４に係る考案では、前記偏平基部の前記他方の端部側を対向配置し、弾性伸縮部材で形成され紐状とした伸縮連結部の両端を介して前記偏平基部の前記他方の端部側を互いに連設してなることを特徴とする請求項１または２に記載の指刺激健康器具。
【００１４】
請求項５に係る考案では、前記偏平基部の前記他方の端部側に弾性伸縮部材で形成され紐状とした伸縮連結部の一端を連設し、前記伸縮連結部の他端は、可撓性を有する円環状の球体載置部において前記球体載置部の直径方向で互いに対峙する位置にそれぞれ連設したことを特徴とする請求項１または２に記載の指刺激健康器具。
【００１５】
請求項６に係る考案では、前記棒状体は前記偏平基部の一側面側の前記偏平基部の前記一方の端部側の縁端部近傍に立設すると共に、前記偏平基部の他側面側には前記偏平基部の前記一方の端部側から前記偏平基部に沿って前方に延出した板状の爪先保護部を形成し、前記偏平基部の一側面側には、前記偏平基部の一側面側に足を載置した際に甲側を被覆して略固定する足挿通固定部を形成し、前記偏平基部の一側面側から前記爪先保護部の上面までの前記偏平基部の厚みを、前記偏平基部の一側面側の前記一方の端部側の角部に沿って足指を下方に屈曲させた際に足指の先端が前記爪先保護部の上面に当接しないように形成したことを特徴とする請求項１または２に記載の指刺激健康器具。
【考案の効果】
【００１６】
請求項１記載の考案によれば、弾性伸縮部材で形成され、一方の端部側から他方の端部側にかけて幅狭に形成した略偏平状の偏平基部と、偏平基部の一方の端部側に複数の棒状体を略並列して突設した指間装着部と、指間装着部の各棒状体の先端部に連設し棒状体の外径よりも大きい外径を有する略球状の抜け止め部と、を備えたことにより、手足の指間に指間装着部を容易に装着可能であると共に、手指であれば偏平基部の幅狭形状により掌で偏平基部を容易に把持でき、しかも、強く把持することで棒状体が手指間に刺激を与えつつ偏平基部の変形と適度な変形復帰力（付勢力）を発揮するため、握力向上や血行促進を容易に図ることができる。
【００１７】
しかも、全ての手指を広げても抜け止め部により手指間から本器具が脱落することがなく、握り動作と広げ動作を容易に繰り返すことができるので、握力のトレーニングを行いつつ手指の広範な動きによる柔軟性の向上や脳の機能改善、特に脳疾患等により麻痺した手指のリハビリを容易に行うことができる。
【００１８】
また、足指であれば、床面上に足を伸ばして着座した状態において、足の甲側に偏平基部を位置させ、足指間に指間装着部を装着して足指を握るような状態とし、偏平基部の端部を手で把持して手前に引っ張ることで、棒状体が足指間に刺激を与え血行を促進させつつ足指の筋力向上が図られ、歩行時に足指全体がしっかりと地面に接地されるようになり、腰痛改善や外反母趾の改善、更には運動神経の向上を図ることができる。
【００１９】
また、棒状体の伸縮性能により、急激な負荷が足指や足首にかかることを可及的に防止できるので、安全面と取り扱いの面で有利である。
【００２０】
更に、足裏側に偏平基部を位置させ、足指間に指間装着部を装着した際、全ての足指を広げても抜け止め部により足指間から本器具が脱落することがなく、握り動作と広げ動作を容易に繰り返すことができるので、足指の筋力トレーニングを行いつつ足指の広範な動きによる柔軟性の向上や脳の機能改善、特に脳疾患等により麻痺した足指のリハビリを容易に行うことができる。
【００２１】
請求項２記載の考案によれば、偏平基部は、略偏平状の一側面側に凸部を膨出して形成しているので、手であれば偏平基部を把持した際に凸部が掌を刺激し、更なる血行促進やツボ刺激による様々な効果を得ることができる。
【００２２】
請求項３記載の考案によれば、偏平基部の他方の端部側に弾性伸縮部材で形成され紐状とした伸縮連結部の一端を連設し、伸縮連結部の他端には、伸縮連結部の外径よりも大きな外径で片手で把持可能な大きさに形成した略球状の把持部を連設したことにより、床面上に足を伸ばして着座した状態において、足の甲側に偏平基部を位置させ、足指間に指間装着部を装着して足指を握るような状態とし、偏平基部の端部を手で把持して手前に引っ張ることが容易にでき、棒状体が足指間に刺激を与え血行を促進させつつ足指の筋力向上が図られ、歩行時に足指全体がしっかりと地面に接地されるようになり、腰痛改善や外反母趾の改善、更には運動神経の向上を図ることができ、しかも、脳疾患等により麻痺した手足のリハビリを容易に行うことができる。
【００２３】
また、伸縮連結部の伸縮性能により、急激な負荷が足指や足首にかかることを可及的に防止できるので、安全面と取り扱いの面で有利である。
【００２４】
更に、略球状の把持部は容易に把持しやすい形状であると共に、把持部が抜け止め部の機能を果すこともできるので、任意の足指間に伸縮連結部を挟持しつつ指間装着部を手指に装着して使用することもできる。
【００２５】
請求項４記載の考案によれば、偏平基部の他方の端部側を対向配置し、弾性伸縮部材で形成され紐状とした伸縮連結部の両端を介して偏平基部の他方の端部側を互いに連設したことにより、上述した請求項１、請求項２に記載の効果を伴いながら、左右の手指間に指間装着部を装着して使用したり、手指と足指間に装着することもでき、更には左右の足指間にも装着して使用することができる。
【００２６】
請求項５記載の考案によれば、偏平基部の他方の端部側に弾性伸縮部材で形成され紐状とした伸縮連結部の一端を連設し、伸縮連結部の他端は、可撓性を有する円環状の球体載置部において球体載置部の直径方向で互いに対峙する位置にそれぞれ連設したことにより、例えば、球体載置部を床面上に載置し弾性部材で形成されたエクササイズボールを球体載置部の中心に配置し、エクササイズボール上に臀部を載置して着座すると共に、左右の手指に指間装着部を装着して把持し左右の腕を上下等させれば、上述した請求項１、請求項２に記載の効果を伴いながら、腕の筋力や体幹を同時に鍛えることができる。
【００２７】
更に、球体載置部に連設した伸縮連結部が使用時にエクササイズボールを挟持して略固定するため、適度に安定した姿勢でトレーニングを行うことができる。
【００２８】
請求項６記載の考案によれば、棒状体は偏平基部の一側面側の前記偏平基部の前記一方の端部側の縁端部近傍に立設すると共に、偏平基部の他側面側には偏平基部の一方の端部側から偏平基部に沿って前方に延出した板状の爪先保護部を形成し、偏平基部の一側面側には、偏平基部の一側面側に足を載置した際に甲側を被覆して略固定する足挿通固定部を形成し、偏平基部の一側面側から爪先保護部の上面までの偏平基部の厚みを、偏平基部の一側面側の一方の端部側の角部に沿って足指を下方に屈曲させた際に足指の先端が爪先保護部の上面に当接しないように形成したことにより、本器具を履物として使用でき、足指間に指間装着部を装着しつつ足指を下方に屈曲して足指を握るような状態として歩行することができるので、棒状体が足指間に刺激を与え血行を促進させつつ足指の筋力向上が図られ、歩行時に足指全体がしっかりと地面に接地されるようになり、腰痛改善や外反母趾の改善、更には運動神経の向上を図ることができ、しかも、脳疾患等により麻痺した足のリハビリを容易に行うことができる。
【図面の簡単な説明】
【００２９】
【図１】（ａ）は第一実施形態の正面図であり、（ｂ）は側面図であり、（ｃ）は斜視図である。
【図２】（ａ）は第一実施形態の変形例の正面図であり、（ｂ）は側面図であり、（ｃ）は斜視図である。
【図３】（ａ）、（ｂ）、（ｃ）は第一実施形態の使用例を示す説明図である。
【図４】（ａ）は第二実施形態の正面図であり、（ｂ）は使用例を示す説明図である。
【図５】（ａ）は第三実施形態の正面図であり、（ｂ）は使用例を示す説明図である。
【図６】（ａ）は第四実施形態の正面図であり、（ｂ）は使用例を示す説明図である。
【図７】（ａ）は第五実施形態の正面図であり、（ｂ）は使用例を示す説明図である。
【図８】（ａ）は足指刺激健康器具の斜視図であり、（ｂ）、（ｃ）は足指刺激健康中敷の斜視図である。
【図９】（ａ）は健康器具の説明図であり、（ｂ）は使用例を示す説明図である。
【図１０】（ａ）は健康器具の斜視図であり、（ｂ）は装着例の斜視図であり、（ｃ）は使用例を示す説明図である。
【図１１】（ａ）は健康器具の斜視図であり、（ｂ）は装着例の斜視図である
【考案を実施するための形態】
【００３０】
本考案に係る指刺激健康器具の要旨は、手足いずれかの指間で挟持して手や足の指を刺激する弾性伸縮部材で形成された指刺激健康器具であって、一方の端部側から他方の端部側にかけて幅狭に形成した略偏平状の偏平基部と、偏平基部の一方の端部側に複数の棒状体を略並列して突設した指間装着部と、指間装着部の各棒状体の先端部に連設し棒状体の外径よりも大きい外径を有する略球状の抜け止め部と、を備えたことを特徴とする。すなわち、指間装着部を手足の指間に兼用で装着できるように構成し、手足の指に刺激を与えて血行促進や柔軟性の向上等を図ろうとするものである。
【００３１】
以下、本考案に係る指刺激健康器具の実施形態について図面を参照しながら説明する。また、本説明中において左右同一又は左右対称の構造や部品については、原則として同一の符号を付し、左右何れか一方のみを説明して、他方については説明を適宜省略する。
【００３２】
[第一実施形態]
本考案の第一実施形態に係る指刺激健康器具１ａは、図１（ａ）〜（ｃ）に示すように、弾性伸縮部材で形成し、一方の端部側３から他方の端部側４にかけて幅狭に形成した略偏平状の偏平基部２と、偏平基部２の一方の端部側３に複数の棒状体６を略並列して突設した指間装着部５と、指間装着部５の各棒状体６の先端部に連設し棒状体６の外径よりも大きい外径を有する略球状の抜け止め部７とを備えている。
【００３３】
指刺激健康器具１ａを形成する弾性伸縮部材は、例えば、弾性シリコン樹脂やゴム材等のように弾性と伸縮性を共に備えた材料で形成している。また、偏平基部２は、一方の端部側３から他方の端部側４にかけて幅狭に形成した略偏平状に形成しており、偏平基部２の一方の端部側３から偏平状の両側面に沿って前方に４本の棒状体６を所定間隔で略並列して指間装着部５を突設している。
【００３４】
棒状体６は丸棒状に形成し、各棒状体６の間隔は、指が１本挿入できる程度に配設している。また、指間装着部５の各棒状体６の先端部には、棒状体６の外径よりも大きい外径を有する略球状の抜け止め部７を形成している。抜け止め部７の外径は、隣接する抜け止め部７が互いに接触しない程度に近設している。
【００３５】
このように、本第一実施形態に係る指刺激健康器具１ａを構成することで、手足の指間に指間装着部５を容易に装着可能であると共に、手指ＨＦであれば、図３（ａ）に示すように偏平基部２の他方の端部側４の幅狭形状により掌で偏平基部２を容易に把持でき、しかも、強く把持することで棒状体６が手指ＨＦ間に刺激を与えつつ偏平基部２の変形と適度な変形復帰力（付勢力）を発揮するため、握力向上と血行促進を容易に図ることができる。
【００３６】
しかも、図３（ｂ）に示すように、全ての手指ＨＦを広げても抜け止め部７により手指ＨＦ間から本器具１ａが脱落することがなく、握り動作と広げ動作を容易に繰り返すことができるので、握力のトレーニングを行いつつ手指ＨＦの広範な動きによる柔軟性の向上や脳の機能改善、特に脳疾患等により麻痺した手指ＨＦのリハビリを容易に行うことができる。
【００３７】
また、足指ＦＦであれば、例えば、図３（ｃ）に示すように、床面上１００に足Ｆを伸ばして着座した状態において、足Ｆの甲側ＦＵに偏平基部２を位置させ、足指ＦＦ間に指間装着部５を装着して足指ＦＦを握るような状態とし、偏平基部２の端部８側を手Ｈで把持して手前に引っ張ることで、棒状体６が足指ＦＦ間に刺激を与え血行を促進させつつ足指ＦＦの筋力向上が図られ、歩行時に足指ＦＦ全体がしっかりと地面に接地されるようになり、腰痛改善や外反母趾の改善、更には運動神経の向上を図ることができる。
【００３８】
なお、偏平基部２の端部８側には、把持する際の滑り止め構造として複数の凹凸形状を形成したり、その他の構造を形成することができる。
【００３９】
また、棒状体６の伸縮性能により、急激な負荷が足指ＦＦや足首ＦＮにかかることを可及的に防止できるので、安全面と取り扱いの面で有利である。
【００４０】
更に、足裏側ＦＬに偏平基部２を位置させ、足指ＦＦ間に指間装着部５を装着した場合、全ての足指ＦＦを広げても抜け止め部７により足指ＦＦ間から本器具１ａが脱落することがなく、握り動作と広げ動作を容易に繰り返すことができるので、足指ＦＦの筋力トレーニングを行いつつ足指ＦＦの広範な動きによる柔軟性の向上や脳の機能改善、特に脳疾患等により麻痺した足指ＦＦのリハビリを容易に行うことができる。
【００４１】
[第一実施形態の変形例]
また、本考案の第一実施形態に係る指刺激健康器具１ａの偏平基部２は、変形例として図２（ａ）〜（ｃ）に示すような指刺激健康器具１ａ´とすることができる。すなわち、略偏平状の一側面側９に凸部１０を膨出して形成しており、具体的には、略偏平状の一側面側９の略中央部において、掌で把持できる程度の大きさとした側面視半球状の湾曲凸部１１を一体に形成している。
【００４２】
このように形成することで、手Ｈであれば、図３（ａ）のように偏平基部２を把持した際に湾曲凸部１１が掌を刺激し、更なる血行促進やツボ刺激による様々な効果を得ることができる。
【００４３】
なお、偏平基部２における凸部１０の位置や形状や数は、本実施形態に限定されるものではなく、本考案の要旨の範囲内において種々の変形や変更が可能である。
【００４４】
[第二実施形態]
次に、上述した第一実施形態（変形例含む）に係る指刺激健康器具１ａを基本構成とした第二実施形態に係る指刺激健康器具１ｂについて説明する。
【００４５】
本考案の第二実施形態に係る指刺激健康器具１ｂは、図４（ａ）に示すように、第一実施形態に係る指刺激健康器具１ａの偏平基部２の他方の端部側４に弾性伸縮部材で形成され紐状とした伸縮連結部１２ａの一端を連設し、伸縮連結部１２ａの他端には、伸縮連結部１２ａの外径よりも大きな外径で片手で把持可能な大きさに形成した略球状の把持部１３を連設している。
【００４６】
伸縮連結部１２ａを形成する弾性伸縮部材は、例えば、弾性シリコン樹脂やゴム材等のように弾性と伸縮性を共に備えた材料で形成している。すなわち、伸縮連結部１２ａは第一実施形態に係る指刺激健康器具１ａと連設し一体に形成している。また、伸縮連結部１２ａは、偏平基部２の幅狭の他方の端部側４から緩やかに更に幅狭の１本の断面視円形状の紐状となるように形成している。また、偏平基部２の他方の端部側４から略３０ｃｍの長さに形成している。
【００４７】
把持部１３は、上述同様の弾性伸縮部材で形成し、伸縮連結部１２ａと連設して一体に形成している。
【００４８】
このように、本第二実施形態に係る指刺激健康器具１ｂを構成することで、例えば、図４（ｂ）に示すように、床面上１００に足Ｆを伸ばして着座した状態において、足Ｆの甲側ＦＵに偏平基部２を位置させ、足指ＦＦ間に指間装着部５を装着して足指ＦＦを握るような状態とし、偏平基部２の他方の端部側４を手前に引っ張ることで、棒状体６が足指ＦＦ間に刺激を与え血行を促進させつつ足指ＦＦの筋力向上が図られ、歩行時に足指ＦＦ全体がしっかりと地面に接地されるようになり、腰痛改善や外反母趾の改善、更には運動神経の向上を図ることができ、しかも、脳疾患等により麻痺した手足Ｈ，Ｆのリハビリを容易に行うことができる。
【００４９】
また、伸縮連結部１２ａの伸縮性能により、急激な負荷が足指ＦＦや足首ＦＮにかかることを可及的に防止できるので、安全面と取り扱いの面で有利である。
【００５０】
更に、略球状の把持部１３は容易に把持しやすい形状であると共に、把持部１３が抜け止め部７の機能を果すこともできるので、任意の足指ＦＦ間に伸縮連結部１２ａを挟持しつつ指間装着部５を手指ＨＦに装着して使用することもできる。
【００５１】
なお、伸縮連結部１２ａの長さや形状は、本実施形態に限定されるものではなく、本考案の要旨の範囲内において種々の変形や変更が可能である。
【００５２】
また、把持部１３は、全体形状が略球状であれば、表面に複数の小さな突起を膨出して形成してツボ刺激効果を高めたり、キャラクター等の形状に形成する等、本実施形態に限定されず、本考案の要旨の範囲内において種々の変形や変更が可能である。
【００５３】
[第三実施形態]
次に、上述した第一実施形態（変形例含む）に係る指刺激健康器具１ａを基本構成とした第三実施形態に係る指刺激健康器具１ｃについて説明する。
【００５４】
本考案の第三実施形態に係る指刺激健康器具１ｃは、図５（ａ）に示すように、第一実施形態に係る２つの指刺激健康器具１ａ，１ａの偏平基部２の他方の端部側４を対向配置し、弾性伸縮部材で形成され紐状とした伸縮連結部１２ｂの両端を介して偏平基部２の他方の端部側４を互いに連設している。
【００５５】
伸縮連結部１２ｂを形成する弾性伸縮部材は、例えば、弾性シリコン樹脂やゴム材等のように弾性と伸縮性を共に備えた材料で形成している。すなわち、伸縮連結部１２ｂの両端は第一実施形態に係る２つの指刺激健康器具１ａ，１ａと連設し一体に形成している。また、伸縮連結部１２ｂは、偏平基部２の幅狭の他方の端部側４から緩やかに更に幅狭の１本の断面視円形状の紐状となるように形成している。また、伸縮連結部１２ｂは、偏平基部２の他方の端部側４間に略３０ｃｍの長さで形成している。
【００５６】
このように、本第三実施形態に係る指刺激健康器具１ｃを構成することで、図５（ｂ）に示すように、例えば、左右の手指ＨＦ間に指間装着部５を装着して使用したり、手指ＨＦと足指ＦＦ間に装着することもでき、更には左右の足指ＦＦ間にも装着して使用することもできる。この場合の手足における効果は第一実施形態に係る指刺激健康器具１ａと同様であると共に、更に、腕力や脚力の向上にも効果があることは言うまでもない。
【００５７】
なお、伸縮連結部１２ｂの長さや形状は、本実施形態に限定されるものではなく、本考案の要旨の範囲内において種々の変形や変更が可能である。
【００５８】
[第四実施形態]
次に、上述した第一実施形態（変形例含む）に係る指刺激健康器具１ａを基本構成とした第四実施形態に係る指刺激健康器具１ｄについて説明する。
【００５９】
本考案の第四実施形態に係る指刺激健康器具１ｄは、図６（ａ）に示すように、第一実施形態に係る２つの指刺激健康器具１ａ，１ａの偏平基部２の他方の端部側４に弾性伸縮部材で形成され紐状とした伸縮連結部１２ｃの一端をそれぞれ連設し、伸縮連結部１２ｃの他端は、可撓性を有する円環状の球体載置部１４において球体載置部１４の直径方向で互いに対峙する位置にそれぞれ連設している。
【００６０】
伸縮連結部１２ｃを形成する弾性伸縮部材は、例えば、弾性シリコン樹脂やゴム材等のように弾性と伸縮性を共に備えた材料で形成している。すなわち、伸縮連結部１２ｃの一端は第一実施形態に係る２つの指刺激健康器具１ａ，１ａと連設し一体に形成している。また、伸縮連結部１２ｃは、中途部１５までの略２５ｃｍを偏平基部２の幅狭の他方の端部側４から幅狭の１本の断面視円形状の紐状となるように形成すると共に、中途部１５から更に略２５ｃｍの部分を２本に分岐して同様に断面視円形状の紐状となるように形成している。
【００６１】
また、分岐した伸縮連結部１２ｃの各端部は球体載置部１４の外側面に所定の距離をおいて連設している。
【００６２】
球体載置部１４は、上述同様の弾性伸縮部材で形成し、伸縮連結部１２ｃと連設して一体に形成している。また、球体載置部１４の内径は、一般的なエクササイズボールＥの直径よりも大きく、例えば、略６０〜８０ｃｍの範囲内に形成している。
【００６３】
このように、本第四実施形態に係る指刺激健康器具１ｄを構成することで、図６（ｂ）に示すように、例えば、球体載置部１４を床面上１００に載置し弾性部材で形成された中空のエクササイズボールＥを球体載置部１４の中心に配置し、エクササイズボールＥ上に臀部Ｗを載置して着座すると共に、左右の手指ＨＦ，ＨＦに指間装着部５を装着して把持し左右の腕Ｌ，Ｒを上下等させれば、上述した第一実施形態に係る指刺激健康器具１ａの手指ＨＦに対する効果と同様の効果を得ることができると共に、腕Ｌ，Ｒの筋力や体幹を同時に鍛えることができる。
【００６４】
更に、球体載置部１４に連設した伸縮連結部１２ｃが使用時にエクササイズボールＥを挟持して略固定するため、適度に安定した姿勢でトレーニングを行うことができる。
【００６５】
なお、本実施形態に係る伸縮連結部１２ｃの長さや形状、及び分岐する数は、本実施形態に限定されるものではなく、本考案の要旨の範囲内において種々の変形や変更が可能である。
【００６６】
[第五実施形態]
次に、上述した第一実施形態（変形例含む）に係る指刺激健康器具１ａを基本構成とした第五実施形態に係る指刺激健康器具１ｅについて説明する。
【００６７】
本考案の第五実施形態に係る指刺激健康器具１ｅは、図７（ａ）、（ｂ）に示すように、履物として構成している。具体的には、第一実施形態に係る棒状体６を偏平基部２の一側面側９の偏平基部２の一方の端部側３の縁端部１６近傍に立設すると共に、偏平基部２の他側面側１７には偏平基部２の一方の端部側３から偏平基部２に沿って前方に延出した板状の爪先保護部１８を形成し、偏平基部２の一側面側９には、偏平基部２の一側面側９に足Ｆを載置した際に甲側ＦＵを被覆して略固定する足挿通固定部１９を形成し、偏平基部２の一側面側９から爪先保護部１８の上面までの偏平基部の厚み２０を、偏平基部２の一側面側９の一方の端部側３の角部２１に沿って足指ＦＦを下方に屈曲させた際に足指ＦＦの先端が爪先保護部１８の上面に当接しないように形成している。
【００６８】
爪先保護部１８は、偏平基部２の他側面側１７の全面を被覆しつつ前方に延出して足型に形成し、履物の下底部を構成する。そのため、強度と耐久性を備えたウレタン材やゴム材等の弾性を有する材料で形成している。
【００６９】
足挿通固定部１９は、帯状の一対の面ファスナー２２ａ，２２ｂで構成し、それぞれの一端部を偏平基部２の左右縁部近傍で指間装着部５よりも内方に連設している。すなわち、足挿通固定部１９は、偏平基部２の一側面側９に足Ｆを載置した際に甲側ＦＵを被覆可能な位置に配設している。
【００７０】
また、足挿通固定部１９を面ファスナー２２ａ，２２ｂで構成することで、面ファスナー２２ａ，２２ｂの係合位置の調整により様々な足の大きさに柔軟に対応することができる。
【００７１】
また、本実施形態に係る偏平基部２の一側面側９には凸部１０を膨出して形成している。具体的には、足Ｆの土踏まずＴに相当する箇所を土踏まずＴの形状に倣って湾曲状に膨出し、土踏まず凸部２３を形成している。
【００７２】
このように、本第五実施形態に係る指刺激健康器具１ｅを構成することで、図７（ｂ）に示すように、本器具１ｅを履物として使用でき、足指ＦＦ間に指間装着部５を装着しつつ足指ＦＦを下方に屈曲して足指ＦＦを握るような状態として歩行することができるので、棒状体６が足指ＦＦ間に刺激を与え血行を促進させつつ足指ＦＦの筋力向上が図られ、歩行時に足指ＦＦ全体がしっかりと地面に接地されるようになり、腰痛改善や外反母趾の改善、更には運動神経の向上を図ることができ、しかも、脳疾患等により麻痺した足Ｆのリハビリを容易に行うことができる。
【００７３】
以上、本考案の実施形態に係る指刺激健康器具１ａ，１ｂ，１ｃ，１ｄ，１ｅの好ましい態様について説明したが、本考案は係る特定の実施形態に限定されるものではなく、実用新案登録請求の範囲に記載された本考案の要旨の範囲内において、種々の変形・変更が可能である。
【００７４】
次に、健康器具の他の実施形態について説明する。なお、上述した構成と同一のものについては同一の符号を付して、説明を適宜省略する。
【００７５】
図８（ａ）は、足指ＦＦ間で挟持して足指ＦＦを刺激する弾性部材で形成された足指刺激健康器具５０の斜視図であって、略偏平状の偏平基部２と、前記偏平基部２の一方の端部側３に波状の複数の凹凸部５１を隣接して突設した指間屈曲装着部５２と、前記指間屈曲装着部５２の各前記凹凸部５１の前方に前記偏平基部２の一方の端部側３の左右端部からアーチ状に形成した足指保護部５３と、前記偏平基部２の一側面側９に足Ｆを載置した際に甲側ＦＵを被覆して略固定する足挿通固定部１９と、前記偏平基部２の他側面側１７には前記偏平基部２の前記一方の端部側３から前記偏平基部２に沿って前方に延出した板状の爪先保護部１８と、前記偏平基部２の一側面側９から前記爪先保護部１８の上面までの前記偏平基部の厚み２０を、前記偏平基部２の一側面側９の前記一方の端部側３の角部２１に沿って足指ＦＦを下方に屈曲させた際に足指ＦＦの先端が前記爪先保護部１８の上面に当接しないように形成したことを特徴とする。
【００７６】
指間屈曲装着部５２は、偏平基部２の一方の端部側３の壁面５４に５つの湾曲凹部５５とその間に４つの仕切り凸部５６を形成し、波状の凹凸部５１を形成している。凹凸部５１は足指ＦＦを屈曲した際に各指が所定間隔で開いて配置されるように形成している。
【００７７】
足指保護部５３は、偏平基部２の厚み２０と同幅の帯状にアーチを形成し、足指保護部５３の下端縁を爪先保護部１８の上面と連設している。すなわち、足指保護部５３と凹凸部５１との間には足指ＦＦを挿入可能な上方開口の空間５７を有すると共に、足指保護部５３と偏平基部２とで足型を形成している。
【００７８】
また、偏平基部２の一側面側９には凸部１０を膨出して形成し、土踏まず凸部２３を形成している。
【００７９】
なお、爪先保護部１８と足挿通固定部１９と土踏まず凸部２３については、上述した第五実施形態に係る指刺激健康器具１ｅと同様である。
【００８０】
このように、図８（ａ）に係る足指刺激健康器具５０を構成することで、足指ＦＦ間に指間屈曲装着部５２を装着しつつ足指ＦＦを下方に屈曲して足指ＦＦを握るような状態として歩行することができるので、仕切り凸部５６が足指ＦＦ間に刺激を与え血行を促進させつつ足指ＦＦの筋力向上が図られ、歩行時に足指ＦＦ全体がしっかりと地面に接地されるようになり、腰痛改善や外反母趾の改善、更には運動神経の向上を図ることができる。
【００８１】
また、足指保護部５３が、露出した足指ＦＦを保護するため、通常の靴と同様に屋外でも使用することができる。
【００８２】
図８（ｂ）は、足指ＦＦ間で挟持して足指ＦＦを刺激する弾性部材で形成された足指刺激健康中敷６０の斜視図であって、略偏平状の偏平基部２と、前記偏平基部２の一方の端部側３に波状の複数の凹凸部５１を隣接して突設した指間屈曲装着部５２と、前記偏平基部２の他側面側１７には前記偏平基部２の前記一方の端部側３から前記偏平基部２に沿って前方に延出した板状の爪先保護部１８と、前記偏平基部２の一側面側９から前記爪先保護部１８の上面までの前記偏平基部２の厚み２０を、前記偏平基部２の一側面側９の前記一方の端部側３の角部２１に沿って足指ＦＦを下方に屈曲させた際に足指ＦＦの先端が前記爪先保護部１８の上面に当接しないように形成したことを特徴とする。
【００８３】
すなわち、図８（ｂ）に係る足指刺激健康中敷６０は、靴の中敷として靴の内部に挿入して使用するものである。
【００８４】
また、偏平基部２の一側面側９には凸部１０を膨出して形成し、土踏まず凸部２３を形成している。
【００８５】
なお、指間屈曲装着部５２は上述した図８（ａ）に係る足指刺激健康器具５０と同様であり、爪先保護部１８と土踏まず凸部２３については、上述した第五実施形態に係る指刺激健康器具１ｅと同様である。
【００８６】
このように、図８（ｂ）に係る足指刺激健康中敷６０を構成し靴の内部に装着することで、足指ＦＦ間に指間屈曲装着部５２を装着しつつ足指ＦＦを下方に屈曲して足指ＦＦを握るような状態として歩行することができるので、仕切り凸部５６が足指ＦＦ間に刺激を与え血行を促進させつつ足指ＦＦの筋力向上が図られ、歩行時に足指ＦＦ全体がしっかりと地面に接地されるようになり、腰痛改善や外反母趾の改善、更には運動神経の向上を図ることができる。
【００８７】
また、靴が足指ＦＦを保護するため、屋外でも安全に使用することができると共に、様々な靴に装着して使用することができる。
【００８８】
図８（ｃ）は、足指ＦＦ間で挟持して足指ＦＦを刺激する弾性部材で形成された足指刺激健康中敷６５の斜視図であって、略偏平状の偏平基部２と、前記偏平基部２の他側面側１７には前記偏平基部２の前記一方の端部側３から前記偏平基部２に沿って前方に延出した板状の爪先保護部１８と、前記偏平基部２の一側面側９から前記爪先保護部１８の上面までの前記偏平基部２の厚み２０を、前記偏平基部２の一側面側９の前記一方の端部側３の角部２１に沿って足指ＦＦを下方に屈曲させた際に足指ＦＦの先端が前記爪先保護部１８の上面に当接しないように形成したことを特徴とする。
【００８９】
すなわち、図８（ｃ）に係る足指刺激健康中敷６５は、靴の中敷として靴の内部に挿入して使用するものである。
【００９０】
また、偏平基部２の一側面側９には凸部１０を膨出して形成し、土踏まず凸部２３を形成している。
【００９１】
なお、爪先保護部１８と土踏まず凸部２３については、上述した第五実施形態に係る指刺激健康器具１ｅと同様である。
【００９２】
このように、図８（ｃ）に係る足指刺激健康中敷６５を構成し靴の内部に装着することで、足指ＦＦを下方に屈曲して足指ＦＦを握るような状態として歩行することができるので、足指ＦＦに刺激を与え血行を促進させつつ足指ＦＦの筋力向上が図られ、歩行時に足指ＦＦ全体がしっかりと地面に接地されるようになり、腰痛改善や外反母趾の改善、更には運動神経の向上を図ることができる。
【００９３】
また、靴が足指ＦＦを保護するため、屋外でも安全に使用することができると共に、様々な靴に装着して使用することができる。
【００９４】
図９（ａ）は、踵部７２に摺動性を備えたサポータ７１と、建物等の内壁面１０１に貼着可能なトレースシート８０と、で構成した健康器具７０であって、前記サポータ７１は、足Ｆの甲側ＦＵを被覆しつつ足Ｆを囲繞する甲固定バンド部７３と、足首ＦＮを囲繞する足首固定バンド部７４と、踵Ｋを被覆する踵カバー部７５とを連設すると共に、前記トレースシート８０は、表面８１に矢印８４等の案内表示８２を有し摺動性を備えたことを特徴とする。
【００９５】
サポータ７１は、摺動性の高いポリエステル等の合成繊維で形成し、甲固定バンド部７３は甲側ＦＵに２つの帯状体７６を所定間隔で環状として配設し、足裏側ＦＬにおいて足Ｆの長手方向に帯状とした連結バンド部７７を配設して２つの甲固定バンド部７３と、踵カバー部７５の一端と連設している。
【００９６】
足首固定バンド部７４は、帯状に形成して足首ＦＮを囲繞し、足首ＦＮの後面側で踵カバー部７５の他端と連設している。
【００９７】
踵カバー部７５は、踵Ｋ全体を被覆する袋状に形成し、後述するトレースシート８０の表面８１との間で高い摺動性を発揮するように踵カバー部７５は抵抗が少ない湾曲状に形成している。なお、踵カバー部７５は摺動性の高い別途の部材で形成してもよい。
【００９８】
トレースシート８０は、長方形シート状に形成し、摺動性の高いＰＰやＰＶＣ、ＰＥＴ等で形成するか、紙等のシート材を透明なこれらの材料で被覆して構成している。また、長手方向を左右として表面８１の左右側には、それぞれ円８３を表示すると共に、円８３の中心から複数の放射状に向いた矢印８４を表示している。
【００９９】
このように、図９（ａ）に係る健康器具７０は、図９（ｂ）に示すように、建物の内壁面１０１近傍の床面上１００に仰向けに寝た両足Ｆ，Ｆにサポータ７１を装着した使用者Ｍの該両足Ｆ，Ｆを、内壁面１０１に貼着したトレースシート８０に表示された円８３や矢印８４等の上を踵Ｋが移動するように運動することで、足Ｆの筋力や腹筋等を鍛えることができる。
【０１００】
図１０（ａ）に係る健康器具９０ａは、所定の厚みを有する弾性部材で形成した平面視長方形板状のシート体９３の上面を短辺方向で下方に一律に湾曲して形成すると共に、前記上面には複数の半球凸部９２を密集して膨出し、短辺の両端面９４ａ，９４ｂには互いに係合自在な面ファスナー９５ａ，９５ｂを張設し、前記シート体９３は前記上面が外側となるように前記短辺の前記両端面９４ａ，９４ｂを互いに当接係合することで前記シート体９３の下面が内周壁９６となる挿貫孔９１を形成し、外観視鼓形状となるように構成したことを特徴とする。
【０１０１】
本健康器具９０ａは、図１０（ｂ）に示すように、例えば、内部を発泡スチロールで構成するストレッチ棒Ｓの外周面を囲繞して略固定することができる。
【０１０２】
また、図１１（ａ）に係る健康器具９０ｂは、所定の厚みを有する弾性部材で形成した平面視長方形板状のシート体９３の上面を短辺方向で下方に一律に湾曲して形成すると共に、前記上面には複数の半球凸部９２を密集して膨出し、短辺の一方の端部９７の下面を前方に矩形薄板状に延出すると共に該端部９７の上面に第一面ファスナー９５ｃを張設し、他方の端部９８の下面には段差を形成して第一面ファスナー９５ｃと係合する第二面ファスナー９５ｄを張設し、前記シート体９３は前記上面が外側となるように前記短辺の両端面９４ａ，９４ｂを互いに当接しつつ互いの前記面ファスナー９５ｃ，９５ｄ同士を当接係合することで前記シート体９３の下面が内周壁９６となる挿貫孔９１を形成し、外観視鼓形状となるように構成したことを特徴とする。
【０１０３】
本健康器具９０ｂは、図１１（ｂ）に示すように、例えば、内部を発泡スチロールで構成するストレッチ棒Ｓの外周面を囲繞して略固定することができる。
【０１０４】
また、上述した２つの健康器具９０ａ，９０ｂは、弾性部材である発泡ウレタンやゴム材等で形成している。
【０１０５】
このように構成した健康器具９０ａ，９０ｂは、使用例を示す図１０（ｃ）のように、例えば、床面上１００に仰向けに寝た使用者Ｍの背中側Ｘで背骨と略直行する位置に本健康器具９０ａ，９０ｂの鼓形状の湾曲部が位置するようにストレッチ棒Ｓを載置することで、背中の筋を伸ばすことができると共に、半球凸部９２の刺激により背中側Ｘの血行を促進させることができる。
【０１０６】
また、体を前後させるだけで、背中側Ｘの広範囲を順次刺激することができる。
【０１０７】
なお、上述した２つの健康器具９０ａ，９０ｂは、シート体９３の変形により鼓形状となるが、当初より鼓形状とした健康器具（図示せず）であってもよい。
【０１０８】
以上、本考案以外の健康器具５０，６０，６５，７０，９０ａ，９０ｂの好ましい実施形態について説明したが、これら健康器具は特定の実施形態に限定されるものではなく、種々の変形・変更が可能である。
【符号の説明】
【０１０９】
Ｆ    足  
ＦＦ  足指
ＦＵ  足の甲側
Ｈ    手
ＨＦ  手指
１ａ  指刺激健康器具（第一実施形態）
１ａ´  指刺激健康器具（第一実施形態の変形例）
１ｂ  指刺激健康器具（第二実施形態）
１ｃ  指刺激健康器具（第三実施形態）
１ｄ  指刺激健康器具（第四実施形態）
１ｅ  指刺激健康器具（第五実施形態）
２  偏平基部
３  一方の端部側
４  他方の端部側
５  指間装着部
６  棒状体
７  抜け止め部
９  一側面側
１０  凸部
１２ａ  伸縮連結部（第二実施形態）
１２ｂ  伸縮連結部（第三実施形態）
１２ｃ  伸縮連結部（第四実施形態）
１３  把持部
１４  球体載置部
１６  縁端部
１７  他側面側
１８  爪先保護部
１９  足挿通固定部
２０  厚み
２１  角部
【図１】
0003197086.tif 000003
【図２】
0003197086.tif 000004
【図３】
0003197086.tif 000005
【図４】
0003197086.tif 000006
【図５】
0003197086.tif 000007
【図６】
0003197086.tif 000008
【図７】
0003197086.tif 000009
【図８】
0003197086.tif 000010
【図９】
0003197086.tif 000011
【図１０】
0003197086.tif 000012
【図１１】
0003197086.tif 000013